(57)【要約】      （修正有）【課題】材料コストを増加させることなく簡易に生産でき、高い耐久性を具備する履物を提供する。【解決手段】履物１００は、複数枚の内貼用補強部（内貼用補強ゴム部）３０の外表面に、胴体部（胴体ゴム部）４０が接着されて製造される。接着作業が上から一気に連続的に行え、生産性が良い。【選択図】図１
0003229095.tif 000002
【実用新案登録請求の範囲】
【請求項１】
複数枚の内貼用補強部の外表面に、胴体部が接着されてなる履物。
【請求項２】
少なくとも１つの内貼用補強部が、他の内貼用補強部の少なくとも一部分の上に重なり接着されてなる請求項１に記載の履物。
【請求項３】
胴体部が、複数枚の内貼用補強部の外表面に圧着ローラ、又はプレス機により圧着されてなる請求項１又は２に記載の履物。
【請求項４】
複数枚の内貼用補強部が、裏布側補強部、甲補強部、踵側補強部、爪先側補強部及び胴体側補強部の少なくとも１つを含む請求項１乃至３のいずれかに記載の履物。
【請求項５】
内貼用補強部と胴体部がゴムからなる請求項１乃至４のいずれかに記載の履物。
【考案の詳細な説明】
【技術分野】
【０００１】
本考案は長靴等の履物に関する。
【背景技術】
【０００２】
従来のゴム長靴等の履物は、特許文献１に記載の如く、胴体ゴム部の外表面に複数枚の外貼用補強ゴム部を接着して構成されている。
【０００３】
外貼用補強ゴム部は、例えば甲補強ゴム部、踵側補強ゴム部、爪先側補強ゴム部である。
【先行技術文献】
【特許文献】
【０００４】
【特許文献１】特開2012-85685号公報
【考案の概要】
【考案が解決しようとする課題】
【０００５】
特許文献１に記載の履物には、以下の問題点がある。
(1)使用者の足全体を覆うことになる胴体ゴム部の外表面の各所に、足の甲、踵、爪先等の各部に対応することになる各外貼用補強ゴム部の各ゴム片のそれぞれを圧着ローラ、プレス機等で圧着し、加硫工程を経て加硫接着（加硫圧着）し、履物を構成している。従って、当該履物の生産段階で、胴体ゴム部に対する各外貼用補強ゴム部の接着作業、又は１つの外貼用補強ゴム部の上に対する他の外貼用補強ゴム部の接着作業を、一気に連続的に行なうものにならず、生産性が悪い。しかも作業結果にバラつきが出易く製品品質を均一化することが難しい。
【０００６】
(2)履物における胴体ゴム部の外表面に各外貼用補強ゴム部が接着されていて、各外貼用補強ゴム部の胴体ゴム部又は他の外貼用補強ゴム部に対する接着境界部が、外部環境にさらされてその接着強度を脆化し易い。従って、当該履物の使用段階で、各外貼用補強ゴム部が剥離し易く、胴体ゴム部に対する補強機能を損なって、当該履物の耐久性を損なうおそれがある。
【０００７】
(3)履物における胴体ゴム部と各外貼用補強ゴム部とがそれらの接着境界部に形成する段差部、及び各外貼用補強ゴム部同士がそれらの接着境界部に形成する段差部が、外界に臨んで露呈するものになる。
【０００８】
この場合、当該履物の生産段階で、履物の外周部に艶出し液や艶消し液をかけるとき、それらの艶出し液や艶消し液の流れが上記段差部において乱れ、その乱れの跡が履物の外周部に残ってその仕上がり品質を損なうおそれがある。
【０００９】
また、当該履物の使用段階では、胴体ゴム部の外側に付着した汚れが上記段差部に滞溜し、ゴム劣化因子（酸やアルカリ物質、微生物の酵素分解反応等）となって、それらの胴体ゴム部又は各外貼用補強ゴム部を構成するゴム素材の経時劣化を著しく早める。このことは、それらのゴム部の損傷、破断を招いて当該履物の耐久性を損なう。
【００１０】
(4)使用者の足がその足首の関節、又は爪先の関節まわりで屈曲し、履物の胴体ゴム部及び各外貼用補強ゴム部がそれらの各関節の動きに対応して当該履物の外側に向けて凹み状をなす如くに折れ曲がるとき（図１０（Ａ））、履物の各外貼用補強ゴム部よりも内側に位置する胴体ゴム部では、図１０（Ｃ）に示す如く、その曲げ変形の曲率が大きくなり、ひいてはその伸び変形量が過大になって大きな曲げ負荷に起因する大きな応力集中を生ずる。このことは、胴体ゴム部の損傷、破断を招いて当該履物の耐久性を損なう。
【００１１】
(5)上述(2)乃至(4)の如くに履物の耐久性が損なわれるときには、履物が長靴（雨靴）であれば、使用者の不適切な使用及び保管状況とも相まって、水漏れ等の機能不具合を早期に引き起こし易い。
【００１２】
本考案の課題は、材料コストを増加させることなく簡易に生産でき、高い耐久性を具備する履物を提供することにある。
【課題を解決するための手段】
【００１３】
請求項１に係る考案は、複数枚の内貼用補強部の外表面に、胴体部が接着されてなる履物である。
【００１４】
請求項２に係る考案は、請求項１に係る考案において更に、少なくとも１つの内貼用補強部が、他の内貼用補強部の少なくとも一部分の上に重なり接着されてなるようにしたものである。
【００１５】
請求項３に係る考案は、請求項１又は２に係る考案において更に、胴体部が、複数枚の内貼用補強部の外表面に圧着ローラ、又はプレス機により圧着されてなるようにしたものである。
【００１６】
請求項４に係る考案は、請求項１乃至３のいずれかに係る考案において更に、複数枚の内貼用補強部が、裏布側補強部、甲補強部、踵側補強部、爪先側補強部及び胴体側補強部の少なくとも１つを含むようにしたものである。
【００１７】
請求項５に係る考案は、請求項１乃至４のいずれかに係る考案において更に、内貼用補強部と胴体部がゴムからなるようにしたものである。
【考案の効果】
【００１８】
（請求項１、５）
(a)使用者の足の甲、踵、爪先等の各部に対応することになる各内貼用補強部を構成する各ゴム片等の外表面に、使用者の足全体を覆うことになる胴体部を接着し、履物を構成するものになる。従って、当該履物の生産段階で、各内貼用補強部に対する胴体部の接着作業を、胴体部の上から一気に連続的に行なうものになり、履物の生産性が良い。しかも作業結果にバラつきが発生しにくく製品品質を均一化することができる。
【００１９】
(b)履物における各内貼用補強部の外表面に胴体部が接着されていて、各内貼用補強部の胴体部又は他の内貼用補強部に対する接着境界部が外部環境にさらされることがなく、その接着強度を長期安定的に維持し易い。従って、当該履物の使用段階で、各内貼用補強部が剥離し難く、胴体部に対する補強効果を損なうことなく、当該履物の耐久性を向上できる。
【００２０】
(c)履物における各内貼用補強部同士がそれらの接着境界部に形成する段差部、及び各内貼用補強部と胴体部がそれらの接着境界部に形成する段差部を、胴体部の外界に臨む部位に露呈するところがない。
【００２１】
この場合、当該履物の生産段階で、履物の外周部に艶出し液や艶消し液に浸してから、乾燥する際、それらの艶出し液や艶消し液の流れは胴体部の段差のない外面をスムースに伝わり流れる。艶出し液や艶消し液の上記流れが上記段差部の影響下で乱れる如くがなく、履物の仕上がり品質を損なうおそれがない。
【００２２】
また、当該履物の使用段階で、胴体部の外側に付着した汚れは、胴体部の段差のない外面をスムースに落下して滞溜し難く、ゴム劣化因子（酸やアルカリ物質、微生物の酵素分解反応等）となることなく、それらの胴体部を構成するゴム素材の経時劣化を早めるところがない。このことは、胴体部及び内貼用補強部の損傷、破断を招くことなく履物の耐久性を向上する。
【００２３】
(d)使用者の足がその足首の関節、又は爪先の関節まわりで屈曲し、履物の胴体部及び各内貼用補強部がそれらの各関節の動きに対応して当該履物の外側に向けて凹み状をなす如くに折れ曲がるとき（図１０（Ａ））、履物の各内貼用補強部よりも外側に位置する胴体部は、図１０（Ｂ）に示す如く、その曲げ変形の曲率が小さく、ひいてはその伸び変形量が過大になることなく、大きな曲げ負荷に起因する大きな応力集中を生ずることがない。このことは、胴体部の損傷、破断を招くことなく履物の耐久性を向上する。
【００２４】
(e)上述(b)乃至(d)の如くに履物の耐久性が向上する結果、履物が長靴（雨靴）であるとき、その水漏れ等の機能不具合を早期に引き起す如くを回避できる。
【００２５】
（請求項２）
(f)履物における少なくとも１つの内貼用補強部が、他の内貼用補強部の少なくとも一部分の上に重なり接着されることにより、各内貼用補強部が胴体部に及ぼす補強作用が相隣る内貼用補強部の境界領域で空白になることを防止し、履物の耐久性を向上できる。
【００２６】
また、使用者の足の屈曲に伴ない、相隣る内貼用補強部の境界領域で重なり接着されずに相対する各内貼用補強部のそれぞれが折れ曲がるときには、それらの各内貼用補強部のエッジが胴体部に大きな応力集中を生じさせて当該胴体部を破断させるおそれがある。ところが、相隣る内貼用補強部が重なり接着されていれば、各内貼用補強部のそれぞれが折れ曲がるときにも、胴体部に上述の大きな応力集中を生じさせず、履物の耐久性を向上できる。
【００２７】
（請求項３）
(g)履物における胴体部が、複数枚の内貼用補強部の外表面に圧着ローラにより圧着されるとき、圧着ローラは、各内貼用補強部が形成している段差部に影響されずに、胴体部の段差のない外面を一気に連続的に転動してスムースに圧着動作する。これにより、胴体部と各内貼用補強部との接着品質を簡易に向上でき、履物の生産性を向上できる。しかも作業結果にバラつきが発生しにくく製品品質を均一化することができる。
【００２８】
（請求項４）
(h)履物は、複数枚の内貼用補強部が、裏布側補強部、甲補強部、踵側補強部、爪先側補強部及び胴体側補強部の少なくとも１つを含むものを採用できる。
【図面の簡単な説明】
【００２９】
【図１】図１は第１実施形態の履物を示す模式側面図である。
【図２】図２は第１実施形態の履物を示す模式断面図である。
【図３】図３は第１実施形態における各内貼用補強ゴム部を示す模式側面図である。
【図４】図４は第２実施形態の履物を示す模式側面図である。
【図５】図５は第２実施形態の履物を示す模式断面図である。
【図６】図６は第２実施形態における各内貼用補強部を示す模式側面図である。
【図７】図７は第３実施形態の履物を示す模式側面図である。
【図８】図８は第３実施形態の履物を示す模式断面図である。
【図９】図９は第３実施形態における各内貼用補強部を示す模式側面図である。
【図１０】図１０は使用者の足の屈曲に伴う履物の折れ曲がり状態を示し、（Ａ）は外観図、（Ｂ）は本考案例における各ゴム部の伸びの変化を示す模式断面図、（Ｃ）は比較例における各ゴム部の伸びの変化を示す模式断面図である。
【考案を実施するための形態】
【００３０】
図１乃至図３に示した第１実施形態に係る長靴１００は、ゴム製長靴であり、裏布１０、複数枚の内貼用補強ゴム部３０、胴体ゴム部４０、ゴム製背当てテープ４１、ゴム製中底５１、ゴム製本底５２、ゴム製防水テープ６０を有して構成されている。
【００３１】
本実施形態において、複数枚の内貼用補強ゴム部３０は、裏布側補強ゴム部３１、爪先側補強ゴム部３２及び踵側補強ゴム部３３からなるものとされている。
【００３２】
図１は、使用者の足全体を覆うことになる胴体ゴム部４０の内側に設けられていて外観に表れない内貼用補強ゴム部３０（裏布側補強ゴム部３１、爪先側補強ゴム部３２、踵側補強ゴム部３３）の輪郭を破線で示している。
【００３３】
図２は、胴体ゴム部４０の内側に設けられている裏布１０、内貼用補強ゴム部３０（裏布側補強ゴム部３１、爪先側補強ゴム部３２、踵側補強ゴム部３３）、ゴム製中底５１の断面を示している。
【００３４】
尚、本明細書における履物１００の説明において、「前」とは履物１００の爪先対応部側をいい、「後」とは履物１００の踵対応部側をいう。また、「上」とは履物１００の履口側をいい、「下」は履物１００の底側をいう。
【００３５】
また、本明細書において、未加硫又は半加硫のゴム素材に施される圧着は加硫接着（加硫圧着）である。
【００３６】
履物１００において、複数枚の内貼用補強ゴム部３０は、他の内貼用補強ゴム部３０の少なくとも一部の上に重なり接着される。即ち、爪先側補強ゴム部３２と踵側補強ゴム部３３は裏布側補強ゴム部３１の上に重なり接着され、踵側補強ゴム部３３の前端部は爪先側補強ゴム部３２の後端部の上に重なり接着される。
【００３７】
以下、履物１００の製造手順について説明する。
(1)長靴用金型に袋状の裏布１０を嵌装固定し、その表面にゴム糊を塗布しておく。
【００３８】
(2)上述(1)における裏布１０の底面に未加硫の中底５１を積層接着する。
【００３９】
(3)上述(1)における裏布１０の外表面に未加硫の裏布側補強ゴム部３１を接着する。本実施形態の裏布側補強ゴム部３１は、図３（Ａ）に示す如く、裏布１０の足首対応部の全周域から踵対応部を経て足の裏対応部の外周域までに渡る概ね筒状をなすものとされている。この裏布側補強ゴム部３１は裏布１０の外表面に接着されるとともに、その下周縁を上述(2)の中底５１の周縁に吊込まれ、圧着ローラ、プレス機等により圧着され、該中底５１の周縁に加硫工程を経て加硫接着（加硫圧着）される。
【００４０】
(4)上述(3)の裏布側補強ゴム部３１の爪先対応部の外表面に、図３（Ｂ）に示す如く、未加硫の爪先側補強ゴム部３２を圧着ローラ、プレス等により圧着する。この爪先側補強ゴム部３２の下周縁は上述(2)の中底５１の周縁に吊込まれ、圧着ローラ、プレス機等により圧着され、該中底５１の周縁に加硫工程を経て加硫接着（加硫圧着）される。
【００４１】
(5)上述(3)の裏布側補強ゴム部３１の踵対応部の外表面に、図３（Ｃ）に示す如く、未加硫の踵側補強ゴム部３３を圧着ローラ、プレス機等により圧着する。この踵側補強ゴム部３３の下周縁は上述(2)の中底５１の周縁に吊込まれ、圧着ローラ、プレス機等により圧着され、該中底５１の周縁に加硫工程を経て加硫接着（加硫圧着）される。
【００４２】
このとき、踵側補強ゴム部３３の前寄り端部は上述(4)の爪先側補強ゴム部３２の後寄り端部の上に重なり、圧着ローラ、プレス機等により圧着され、加硫工程を経て加硫接着（加硫圧着）される。
【００４３】
(6)上述(1)、(3)、(4)、(5)の裏布１０、裏布側補強ゴム部３１、爪先側補強ゴム部３２、踵側補強ゴム部３３の外表面に、未加硫の胴体ゴム部４０を圧着ローラ、プレス機（バキュームプレス等）等により圧着する。この胴体ゴム部４０の下周縁は上述(2)の中底５１の周縁に吊込まれ、圧着ローラ、プレス機等により圧着され、該中底５１の周縁に加硫工程を経て加硫接着（加硫圧着）される。
【００４４】
胴体ゴム部４０は広幅板状をなし、長靴用金型の周囲に巻付けられる。金型の背部にまで巻き回された胴体ゴム部４０の両側縁部は、未加硫の背当てテープ４１で接着し、圧着ローラ、プレス機等の圧着工程と加硫工程を経て加硫接着（加硫圧着）され、互いに接合される。
【００４５】
(7)半加硫の本底５２を上述(2)の中底５１の下面、及び上述(6)の胴体ゴム部４０の下周縁に圧着ローラ、プレス機（昇降プレス等）等で圧着し、加硫工程を経て加硫接着（加硫圧着）される。
【００４６】
(8)上述(6)の胴体ゴム部４０と上述(7)の本底５２の環状をなす突合せ境界部まわりに、未加硫の防水テープ６０を巻付け、この防水テープ６０を圧着ローラ、プレス機（上下挟み込みプレス等）等により胴体ゴム部４０及び本底５２に圧着し、履物１００の半製品を得る。
尚、半製品としての履物１００の外表面には艶出し液又は艶消し液が塗布される。
【００４７】
(9)最後に、上述(8)の半製品の履物１００を加硫缶に装入し、その全てのゴム素材（内貼用補強ゴム部３０、胴体ゴム部４０、背当てテープ４１、中底５１、本底５２、防水テープ６０）を加硫して最終製品としての履物１００を得る。
【００４８】
従って、本実施形態の履物１００によれば、以下の作用効果を奏する。
【００４９】
(a)使用者の足の爪先、踵等の各部に対応することになる各内貼用補強ゴム部３０（３１、３２、３３）を構成する各ゴム片等の外表面に、使用者の足全体を覆うことになる胴体ゴム部４０を接着し、履物１００を構成するものになる。従って、当該履物１００の生産段階で、各内貼用補強ゴム部３０（３１、３２、３３）に対する胴体ゴム部４０の接着作業を、胴体ゴム部４０の上から一気に連続的に行なうものになり、履物１００の生産性が良い。しかも作業結果にバラつきが発生しにくく製品品質を均一化することができる。
【００５０】
(b)履物１００における各内貼用補強ゴム部３０（３１、３２、３３）の外表面に胴体ゴム部４０が接着されていて、各内貼用補強ゴム部３０（３１、３２、３３）の胴体ゴム部４０又は他の内貼用補強ゴム部３０（３１、３２、３３）に対する接着境界部が外部環境にさらされることがなく、その接着強度を長期安定的に維持し易い。従って、当該履物１００の使用段階で、各内貼用補強ゴム部３０（３１、３２、３３）が剥離し難く、胴体ゴム部４０に対する補強効果を損なうことなく、当該履物１００の耐久性を向上できる。
【００５１】
(c)履物１００における各内貼用補強ゴム部３０（３１、３２、３３）同士がそれらの接着境界部に形成する段差部、及び各内貼用補強ゴム部３０（３１、３２、３３）と胴体ゴム部４０がそれらの接着境界部に形成する段差部を、胴体ゴム部４０の外界に臨む部位に露呈するところがない。
【００５２】
この場合、当該履物１００の生産段階で、履物１００の外周部に艶出し液や艶消し液に浸してから乾燥する際、それらの艶出し液や艶消し液の流れは胴体ゴム部４０の段差のない外面をスムースに伝わり流れる。艶出し液や艶消し液の上記流れが上記段差部の影響下で乱れる如くがなく、履物１００の仕上がり品質を損なうおそれがない。
【００５３】
また、当該履物１００の使用段階で、胴体ゴム部４０の外側に付着した汚れは、胴体ゴム部４０の段差のない外面をスムースに落下して滞溜し難く、ゴム劣化因子（酸やアルカリ物質、微生物の酵素分解反応等）となることなく、それらの胴体ゴム部４０を構成するゴム素材の経時劣化を早めるところがない。このことは、胴体ゴム部４０及び内貼用補強ゴム部３０（３１、３２、３３）の損傷、破断を招くことなく履物１００の耐久性を向上する。
【００５４】
(d)使用者の足がその足首の関節、又は爪先の関節まわりで屈曲し、履物１００の胴体ゴム部４０及び各内貼用補強ゴム部３０（３１、３２、３３）がそれらの各関節の動きに対応して当該履物１００の外側に向けて凹み状をなす如くに折れ曲がるとき（図１０（Ａ））、履物１００の各内貼用補強ゴム部３０（３１、３２、３３）よりも外側に位置する胴体ゴム部４０は、図１０（Ｂ）に示す如く、その曲げ変形の曲率が小さく、ひいてはその伸び変形量が過大になることなく、大きな曲げ負荷に起因する大きな応力集中を生ずることがない。このことは、胴体ゴム部４０の損傷、破断を招くことなく履物１００の耐久性を向上する。
【００５５】
(e)上述(b)乃至(d)の如くに履物１００の耐久性が向上する結果、履物１００が長靴（雨靴）であるとき、その水漏れ等の機能不具合を早期に引き起す如くを回避できる。
【００５６】
(f)履物１００における少なくとも１つの内貼用補強ゴム部３０が、他の内貼用補強ゴム部３０の少なくとも一部分の上に重なり接着されることにより、各内貼用補強ゴム部３０（３１、３２、３３）が胴体ゴム部４０に及ぼす補強作用が相隣る内貼用補強ゴム部３０（３１、３２、３３）の境界領域で空白になることを防止し、履物１００の耐久性を向上できる。
【００５７】
また、使用者の足の屈曲に伴ない、相隣る内貼用補強ゴム部３０（３１、３２、３３）の境界領域で重なり接着されずに相対する各内貼用補強ゴム部３０（３１、３２、３３）のそれぞれが折れ曲がるときには、それらの各内貼用補強ゴム部３０（３１、３２、３３）のエッジが胴体ゴム部４０に大きな応力集中を生じさせて当該胴体ゴム部４０を破断させるおそれがある。ところが、相隣る内貼用補強ゴム部３０（３１、３２、３３）が重なり接着されていれば、各内貼用補強ゴム部３０（３１、３２、３３）のそれぞれが折れ曲がるときにも、胴体ゴム部４０に上述の大きな応力集中を生じさせず、履物１００の耐久性を向上できる。
【００５８】
(g)履物１００における胴体ゴム部４０が、複数枚の内貼用補強ゴム部３０（３１、３２、３３）の外表面に圧着ローラにより圧着されるとき、圧着ローラは、各内貼用補強ゴム部３０（３１、３２、３３）が形成している段差部に影響されずに、胴体ゴム部４０の段差のない外面を一気に連続的に転動してスムースに圧着動作する。これにより、胴体ゴム部４０と各内貼用補強ゴム部３０（３１、３２、３３）との接着品質を簡易に向上でき、履物１００の生産性を向上できる。
【００５９】
(h)履物１００は、複数枚の内貼用補強ゴム部３０（３１、３２、３３）として、裏布側補強ゴム部３１、爪先側補強ゴム部３２、踵側補強ゴム部３３を採用できる。
【００６０】
図４乃至図６に示した第２実施形態に係る履物２００が第１実施形態に係る履物１００と異なる点は、複数枚の内貼用補強ゴム部３０として、裏布側補強ゴム部３１、爪先側補強ゴム部３２、踵側補強ゴム部３３に加えて甲補強ゴム部３４を採用したことにある。
【００６１】
以下、履物２００の製造手順について説明する。
(1)長靴用金型に袋状の裏布１０を嵌装固定し、その表面にゴム糊を塗布しておく。
【００６２】
(2)上述(1)における裏布１０の底面に未加硫の中底５１を積層接着する。
【００６３】
(3)上述(1)における裏布１０の外表面に未加硫の裏布側補強ゴム部３１を接着する。本実施形態の裏布側補強ゴム部３１は、図６（Ａ）に示す如く、裏布１０の足首対応部の前部側全域から甲対応部を経て足の裏対応部の後部領域を除く範囲までに渡るものとされている。この裏布側補強ゴム部３１は裏布１０の外表面に接着されるとともに、その下周縁を上述(2)の中底５１の周縁に吊込まれ、圧着ローラ、プレス機等により圧着され、該中底５１の周縁に加硫工程を経て加硫接着（加硫圧着）される。
【００６４】
(4)上述(3)の裏布側補強ゴム部３１の甲対応部の外表面に、図６（Ｂ）に示す如く、未加硫の甲補強ゴム部３４を圧着ローラ、プレス機等により圧着する。
【００６５】
(5)上述(1)の裏布１０、及び上述(3)の裏布側補強ゴム部３１の外表面に未加硫の踵側補強ゴム部３３を圧着する。本実施形態の踵側補強ゴム部３３は、図６（Ｃ）に示す如く、裏布１０の踵対応部に接着され、更に裏布側補強ゴム部３１の後寄り端部に重なるように延在され、圧着ローラ、プレス機等により圧着され、該裏布側補強ゴム部３１に加硫工程を経て加硫接着（加硫圧着）される。この踵側補強ゴム部３３の下周縁は上述(2)の中底５１の周縁に吊込まれ、圧着ローラ、プレス機等により圧着され、該中底５１の周縁に加硫工程を経て加硫接着（加硫圧着）される。
【００６６】
(6)上述(3)の裏布側補強ゴム部３１、上述(4)の甲補強ゴム部３４、及び上述(5)の踵側補強ゴム部３３の外表面に、未加硫の爪先側補強ゴム部３２を接着する。本実施形態の爪先側補強ゴム部３２は、図６（Ｄ）に示す如く、裏布側補強ゴム部３１、甲補強ゴム部３４及び踵側補強ゴム部３３の各下端側の一部に重なり、圧着ローラ、プレス機等により圧着され、それらの各ゴム片に加硫工程を経て加硫接着（加硫圧着）される。この爪先側補強ゴム部３２の下周縁は上述(2)の中底５１の周縁に吊込まれ、圧着ローラ、プレス機等により圧着され、該中底５１の周縁に加硫工程を経て加硫接着（加硫圧着）される。
【００６７】
(7)未加硫の胴体ゴム部４０が、履物１００における前述(6)と同様にして、上述(1)、(3)、(4)、(5)、(6)の裏布１０、裏布側補強ゴム部３１、甲補強ゴム部３４、踵側補強ゴム部３３、爪先側補強ゴム部３２の外表面に設けられる。
【００６８】
(8)半加硫の本底５２が、履物１００における前述(7)と同様にして、上述(2)の中底５１の下面、及び上述(7)の胴体ゴム部４０の下周縁に設けられる。
【００６９】
(9)未加硫の防水テープ６０が、履物１００における前述(8)と同様にして、上述(7)の胴体ゴム部４０及び上述(8)の本底５２の突合せ境界部まわりに設けられ、履物２００の半製品を得る。
【００７０】
(10)最後に、上述(9)の半製品の履物２００を、履物１００における前述(9)と同様にして加硫缶に装入し、加硫工程を経て最終製品としての履物２００を得る。
従って、履物２００にあっても、履物１００におけると同様の作用効果を奏する。
【００７１】
図７乃至図９に示した第３実施形態に係る履物３００が第１実施形態に係る履物１００と異なる点は、複数枚の内貼用補強ゴム部３０として、爪先側補強ゴム部３２及び踵側補強ゴム部３３に加えて胴体側補強ゴム部３５を採用したことにある。
【００７２】
以下、履物３００の製造手順について説明する。
(1)長靴用金型に袋状の裏布１０を嵌装固定し、その表面にゴム糊を塗布しておく。
【００７３】
(2)上述(1)における裏布１０の底面に未加硫の中底５１を積層接着する。
【００７４】
(3)上述(1)における裏布１０の外表面に未加硫の踵側補強ゴム部３３を接着する。本実施形態の踵側補強ゴム部３３は、図９（Ａ）に示す如く、裏布１０の踵対応部の外表面に接着されるとともに、その下周縁を上述(2)の中底５１の周縁に吊込まれ、圧着ローラ、プレス機等により圧着され、該中底５１の周縁に加硫工程を経て加硫接着（加硫圧着）される。
【００７５】
(4)上述(1)の裏布１０の爪先対応部、上述(3)の踵側補強ゴム部３３の前寄り端部の外表面に未加硫の爪先側補強ゴム部３２を接着する。本実施形態の爪先側補強ゴム部３２は、図９（Ｂ）に示す如く、裏布１０、踵側補強ゴム部３３の各下端側の一部に重なり、圧着ローラ、プレス機等により圧着され、それらの各ゴム片に加硫工程を経て加硫接着（加硫圧着）される。この爪先側補強ゴム部３２の下周縁は上述(2)の中底５１の周縁に吊込まれ、圧着ローラ、プレス機等により圧着され、該中底５１の周縁に加硫工程を経て加硫接着（加硫圧着）される。
【００７６】
(5)未加硫の胴体ゴム部４０の裏面に予め胴体側補強ゴム部３５を重ねていたものが、履物１００における前述(6)と同様にして、上述(1)、(3)、(4)の裏布１０、踵側補強ゴム部３３、爪先側補強ゴム部３２の外表面に設けられる。
【００７７】
(6)半加硫の本底５２が、履物１００における前述(7)と同様にして、上述(2)の中底５１の下面、及び上述(5)の胴体ゴム部４０の下周縁に設けられる。
【００７８】
(7)未加硫の防水テープ６０が、履物１００における前述(8)と同様にして、上述(5)の胴体ゴム部４０及び上述(6)の本底５２の突合せ境界部まわりに設けられ、履物３００の半製品を得る。
【００７９】
(8)最後に、上述(7)の半製品の履物３００を、履物１００における前述(9)と同様にして加硫缶に装入し、加硫工程を経て最終製品としての履物３００を得る。
従って、履物３００にあっても、履物１００におけると同様の作用効果を奏する。
【００８０】
以上、本考案の実施例を図面により詳述したが、本考案の具体的な構成はこの実施例に限られるものではなく、本考案の要旨を逸脱しない範囲の設計の変更等があっても本考案に含まれる。例えば、本考案の実施において、複数枚をなす各内貼用補強部は、前述した裏布側補強ゴム部３１、爪先側補強ゴム部３２、踵側補強ゴム部３３、甲補強ゴム部３４、胴体側補強ゴム部３５の実施態様に限らず、足の各部に対応するものを多様に採用できるし、それらの重なり接着態様も多様に変更できる。
【００８１】
尚、本考案に係る履物の製造段階で、裏布１０に対するゴム（裏布側補強ゴム部３１、爪先側補強ゴム部３２、踵側補強ゴム部３３、甲補強ゴム部３４、胴体側補強ゴム部３５、胴体ゴム部４０）との接着は、それらの間にラテックス糊、及び天然ゴム糊とガソリンを混ぜたものを介装することが好ましい。また、各ゴム（裏布側補強ゴム部３１、爪先側補強ゴム部３２、踵側補強ゴム部３３、甲補強ゴム部３４、胴体側補強ゴム部３５、胴体ゴム部４０）の相互の接着は、それらの間に天然ゴム糊とガソリンを混ぜたものを介装することが好ましい。
【００８２】
また、本考案に係る履物において、内貼用補強部及び／又は胴体部の素材は、ゴムに限らず、PVC、PU、EVA、天然皮革、天然繊維、化学繊維(再生繊維、半合成繊維、合成繊維、無機繊維）等の多様なものを採用できる。
【００８３】
また、本考案は、長靴（雨靴）に限らず、セーフティーシューズ、運動靴、作業靴、革靴、サンダル、子供靴、介護シューズ、登山靴、ハイキングシューズ、防寒靴、ルームシューズ、加硫靴、ウォーキングシューズ、ガーデンシューズ、ガーデンブーツ等の多様な履物に適用できる。
【産業上の利用可能性】
【００８４】
本考案によれば、材料コストを増加させることなく簡易に生産でき、高い耐久性を具備する履物を提供することができる。
【符号の説明】
【００８５】
１００、２００、３００  履物
３０  内貼用補強ゴム部（内貼用補強部）
３１  裏布側補強ゴム部
３２  爪先側補強ゴム部
３３  踵側補強ゴム部
３４  甲補強ゴム部
３５  胴体側補強ゴム部
４０  胴体ゴム部（胴体部）
【図１】
0003229095.tif 000003
【図２】
0003229095.tif 000004
【図３】
0003229095.tif 000005
【図４】
0003229095.tif 000006
【図５】
0003229095.tif 000007
【図６】
0003229095.tif 000008
【図７】
0003229095.tif 000009
【図８】
0003229095.tif 000010
【図９】
0003229095.tif 000011
【図１０】
0003229095.tif 000012